(57)【要約】      （修正有）【課題】液体流通管に介設した拡径管に濾層を設け、濾層間に無数の磁鉄鉱粒子を充填し、充填部に埋設した磁石の磁力線を磁鉄鉱細粒子に迂回拡散し、流通液体の液質を活性化する装置を提供する。【解決手段】液体の流路１に磁鉄鉱粒子８充填部９を介設し、該充填部９に磁石１０，１０’を埋設し、該磁石１０，１０’の両極Ｎ，Ｓ間に非磁性体１１を付設し、該磁石１０，１０’による磁力線を非磁性体１１の外側に迂回拡散し、上記磁鉄鉱粒子８に上記迂回磁力線を及ぼすよう形成したことを特徴とする液体流通磁場活性装置。【選択図】図１
2007203165.tif 000002
【特許請求の範囲】
【請求項１】
水道水、温泉水、井戸水等の流体の流路に磁鉄鉱粒子充填部を介設し、
該充填部に磁石を埋設し、該磁石の両極間に非磁性体を付設し、
該磁石による磁力線を非磁性体の外側に迂回拡散し、
上記磁鉄鉱粒子に上記迂回磁力線を及ぼすように形成した流路を通過した上記流体に、金属ナノコロイドあるいは金属酸化物ナノコロイドを一定割合にて添加することを特徴とする給水装置。
【請求項２】
上記充填部を通過した流体に設定可能な可変量の金属ナノコロイド或は金属酸化物ナノコロイドを混合する装置を備えた請求項１記載の給水装置。
【発明の詳細な説明】
【技術分野】
【０００１】
本発明は飲料水等の生活用水、温泉水等の流路において、液体に磁力線を作用し液質を改質し、尚かつ触媒効果等のある有用な金属ナノコロイドあるいは金属酸化物ナノコロイドを一定割合注入する給水装置に関するものである。
【背景技術】
【０００２】
従来、液体の流通管に拡径筒を介在し、該拡径筒内に磁鉄鉱粒子を充填する網、篩板等の対向濾層を設けて、該濾層間に上記粒子の充填部を形成し、
上記充填磁鉄鉱粒子内に磁石を充填することにより、上記充填部の磁力線を強化する試みがなされた（例えば特許文献１、２、３、４、５）。
【０００３】
ところが上記磁石では磁力線が両極間を最短距離で移行する傾向があり、磁束が拡散し難い、そのため充填磁鉄鉱細粒子に磁石の磁力線が充分に拡散しないため濾層間の上記磁場にむらを生じ磁力線の均等拡散強化を行い難く、流体の改質を均等かつ強力に行い難く、かつ麦飯石を通過させてミネラルを溶出させるだけではミネラル溶出分が変動し、流体の改質を均等かつ強力に行うことはできないという問題があった。
【０００４】
【特許文献１】登録実用新案第３００３２７５号
【特許文献２】実開平５−６７３８７号
【特許文献３】登録実用新案第３０３９５３５号
【特許文献４】特開平１０−４３０７９号
【特許文献５】特開平１０−１５１４６９号
【発明の開示】
【発明が解決しようとする課題】
【０００５】
本発明は液体流通管に介設した拡径管内に２個の濾層を設け、濾層間に無数の磁鉄鉱粒子を充填し、充填部内に埋設した磁石の磁力線を磁鉄鉱細粒子に迂回拡散し、流通液体の液質を活性化することを目的とする。
【課題を解決するための手段】
【０００６】
上記の目的を達成するため本発明は
第１に水道水、温泉水、井戸水等の流体の流路に磁鉄鉱粒子充填部を介設し、該充填部に磁石を埋設し、該磁石の両極間に非磁性体を付設し、該磁石による磁力線を非磁性体の外側に迂回拡散し、上記磁鉄鉱粒子に上記迂回磁力線を及ぼすように形成した流路を通過した上記流体に、金属ナノコロイドあるいは金属酸化物ナノコロイドを一定割合にて添加することを特徴とする給水装置、
第２に上記充填部を通過した液体に設定可能な可変量の金属ナノコロイド或は金属酸化物ナノコロイドを混合する装置を備えた上記第１発明記載の給水装置、
によって構成される。
【０００７】
従って液体が流路を経て磁鉄鉱粒子充填部を通過するに際し、
磁鉄鉱粒子による微弱磁力線部分即ち磁鉄鉱粒子の隙間を通過して若干改質される。
【０００８】
さらに埋設磁石の両極間の非磁性体の外側に拡散した磁束によって磁鉄鉱粒子間の微弱磁力が補強され、流体は活性化される。
【０００９】
さらに、これに沈澱、溶解しない金属又は金属酸化物のナノコロイドを一定或は設定量注入又は混合する。
【発明の効果】
【００１０】
本発明は上述のように構成したので磁鉄鉱粒子充填部を通過する液体にかかる磁力線の強度を大となし、かつ上記充填部に強い磁力線を拡散し得て液体の改質を強力かつ均等に行う。なおかつ活性化された液体に高い触媒効果のある金属或は金属酸化物のナノコロイドを設定量注入することにより安定した効果のある液体を製造しうる。
【００１１】
出口小径管３’から流出した流体に定量ポンプを介して設定量のナノコロイドを注入又は混合する。この混合では液体を容器に吐出させ、その流量に応じた設定量の上記ナノコロイドを別注入口から注入する。この場合利用者の要望に応じてナノコロイドのみの吐出も可能である。
【発明を実施するための最良の形態】
【００１２】
飲料水等の生活用水、工業用水、重油、軽油、ガソリン等の燃料油（以下流体という）の流路１に拡径短筒２を介在させる（図１（イ）図）。
【００１３】
上記短筒２には入口小径管３から砂層４、フィルター５、活性炭素層６を充填し、網又は篩等による濾層７を上記短筒２の分割フランジ２’，２’に挟持し、該フランジ２’，２’を挟持具２”で挟圧又は該挟持具２”で分離し短筒２を２分割することができる。
【００１４】
一方の分割短筒２には出口小径管３’の内部に下部濾層７’を設け、上下の濾層７，７’間に磁鉄鉱粒子８を充填９する。
【００１５】
上記磁鉄鉱粒子８の充填部９には円形及び棒状永久磁石１０，１０’を埋設する。
【００１６】
円形永久磁石１０は図１（ロ）図に示すように上記短筒２の中心軸線ｃを中心として４方に縦設し、上記円形永久磁石１０，１０間に棒状永久磁石１０’を上記中心軸線ｃの回りに４個埋設する（図１（ロ）図）。
【００１７】
上端の入口小径管３から液体が流下すると該流体は濾層７，７’間の磁鉄鉱細粒子８の表面を濡らし、かつ埋設した上記磁石１０，１０’及び両極Ｎ，Ｓ間に付設した非磁性体１１，１１を濡らして上記粒子８，８間及び該粒子８と上記磁石１０，１０’及び非磁性体１１，１１間の間隙を通過して下部濾層７’を経て下端の出口小径管３’から流出する。
【００１８】
磁鉄鉱細粒子８の充填部９内の埋設磁石１０，１０’では図３（イ）図、図４（イ）図、図５（イ）図及び図６（イ）図に示すように両極Ｎ，Ｓ間の非磁性体１１を迂回して磁力線１２が発生し、該磁力線１２はＮ極から磁鉄鉱細粒子８及び液体を経てＳ極に至る。
【００１９】
上記磁力線１２は両極Ｎ，Ｓ間の最短距離（図５（ロ）図、図６（ロ）図）に集中することなく、非磁性体１１を迂回して、その外側を迂回拡散するため密接する無数の磁鉄鉱粒子８，８間及びその間隙を通過する液体に生ずる微弱磁力線は上記磁石１０，１０’の非磁性体１１を迂回拡散する強力な磁力線１２によって磁化され、上記流体は改質されて出口小径管３’から流出する。
【００２０】
非磁性体１１にはオーステナイト系ステンレス、チタン、黄銅（ブラス）等の非磁性金属或はＡＢＳ、ＰＴＦＥその他のプラスチックス又はアルミナ、ジルコニアその他のセラミックスを用いる。
【００２１】
又上記複数の埋設磁石１０，１０’相互は同一磁極Ｎ，Ｎ又はＳ，Ｓを近接させず、磁力線１２を反撥させることなく上記充填部９に埋設し、磁力線１２の空白部を作らない。
【００２２】
上記拡径短筒２を通過した流体の流路１には金属ナノコロイドあるいは金属酸化物ナノコロイドを混合する装置１３を小管１４によって接続する。
【００２３】
上記ナノコロイド混合装置１３は図７に示すようにナノコロイドタンク１５を上記小管１４によって流路１に接続し、又は図８に示すように容器１６に接続する。
【００２４】
図８では流路１に流量計１７、制御弁１８を介設し、小管１４に介設したセンサー１９からの信号によって動作するコントローラ２０からの信号によって制御弁１８を動作し容器１６に流入する定量の流体に定量のナノコロイドを添加混合することができる。
【００２５】
図７ではナノコロイドの添加混合に定量ポンプ２１が用いられる。
【００２６】
尚図６（イ）（ロ）図中１２’は隣接磁石のＮ，Ｓ極間磁力線である。
【産業上の利用可能性】
【００２７】
上記充填部９を通過する液体に磁鉄鉱粒子８による磁気と、上記磁石１０，１０’によって広く迂回拡散した磁力線１２とを作用させることができ、かつ上記ナノコロイド１５’を定量添加混合し、液体の改質効果を向上させることができる。
【図面の簡単な説明】
【００２８】
【図１】（イ）図は本発明の磁鉄鉱粒子充填部を示す縦断面図、（ロ）図は（イ）図Ａ−Ａ線による横断平面図である。
【図２】（イ）図は円板形磁石の正面図、（ロ）図は棒形磁石の正面図である。
【図３】（イ）図は円板形磁石の一部縦断正面図、（ロ）図は（イ）図の側面図である。
【図４】（イ）図は棒状磁石の一部縦断正面図、（ロ）図は（イ）図を右方から見た側面図である。
【図５】（イ）図は非磁性体を設けない磁石の磁力線集中状態図、（ロ）図は磁力線拡散状態図である。
【図６】（イ）図は非磁性体による磁力線拡散状態図、（ロ）図は非磁性体のない磁力線集中状態図である。
【図７】ナノコロイド混合装置の実施例の説明図である。
【図８】ナノコロイド混合装置の実施例のブロック図である。
【図９】従来の磁鉄鉱粒子充填部の縦断面図である。
【符号の説明】
【００２９】
１            流路
８            磁鉄鉱粒子
９            磁鉄鉱粒子充填部
１０，１０’  磁石
Ｎ，Ｓ        両極
１１          非磁性体
１２，１２’  磁力線
１３          ナノコロイド混合装置
１５’        金属ナノコロイド又は金属酸化物ナノコロイド
【図１】
2007203165.tif 000003
【図２】
2007203165.tif 000004
【図３】
2007203165.tif 000005
【図４】
2007203165.tif 000006
【図５】
2007203165.tif 000007
【図６】
2007203165.tif 000008
【図７】
2007203165.tif 000009
【図８】
2007203165.tif 000010
【図９】
2007203165.tif 000011